(57)【要約】【課題】用紙に対する乾燥速度が最も遅い最遅インクの最大使用量を設定せずに色変換プロファイルを生成する場合と比較して、画像に滲みが発生するのを抑制することができる。【解決手段】色変換プロファイル生成部１６は、複数色のインクの吐出により画像が形成される用紙に関する用紙情報を設定し、複数色のインクのうち、用紙情報設定部４６により設定された用紙に対する乾燥速度が最も遅い最遅インクの最大使用量を設定し、最遅インクの最大使用量に基づいて、入力機器２０の入力色域内の色値を出力機器３０の出力色域内の色値に変換するための色変換プロファイルを生成する。【選択図】図１
2015035783.tif 000002
【特許請求の範囲】
【請求項１】
複数色のインクの吐出により画像が形成される用紙に関する用紙情報を設定する用紙情報設定手段と、
前記複数色のインクのうち、前記用紙情報設定手段により設定された前記用紙に対する乾燥速度が最も遅い最遅インクの最大使用量を設定する最大使用量設定手段と、
前記最遅インクの最大使用量に基づいて、入力機器の入力色域内の色値を出力機器の出力色域内の色値に変換するための色変換プロファイルを生成する生成手段と、
を備えた色変換プロファイル生成装置。
【請求項２】
前記最遅インクは黒色インクであり、前記最大使用量設定手段は、前記最遅インク以外のインクを黒色インクに置換する割合であるＵＣＲレートを前記最大使用量に基づいて設定し、前記生成手段は、設定された前記ＵＣＲレートに基づいて、前記色変換プロファイルを生成する
請求項１記載の色変換プロファイル生成装置。
【請求項３】
前記最遅インクが黒色インク以外の場合、前記最大使用量設定手段は、前記黒色インク以外のインクを黒色インクに置換する割合であるＵＣＲレートを予め定めた値に設定し、前記生成手段は、設定された前記ＵＣＲレートに基づいて、前記最遅インクが前記最大使用量以下になる色変換プロファイルを生成する
請求項１記載の色変換プロファイル生成装置。
【請求項４】
コンピュータを、請求項１〜３の何れか１項に記載の色変換プロファイル生成装置を構成する各手段として機能させるための色変換プロファイル生成プログラム。
【請求項５】
請求項１〜３の何れか１項に記載の色変換プロファイル生成装置により生成された色変換プロファイルを記憶する記憶手段と、
前記記憶手段に記憶された色変換プロファイルに基づいて、前記入力機器の入力色域内の色値を前記出力機器の出力色域内の色値に変換する色変換手段と、
を備えた色変換装置。
【発明の詳細な説明】
【技術分野】
【０００１】
本発明は、色変換プロファイル生成装置、色変換プロファイル生成プログラム、及び色変換装置に関する。
【背景技術】
【０００２】
特許文献１には、記録用紙にインク滴を吐出して、前記記録用紙上に入力画像に対応する画像を形成する色変換プロファイル生成装置において、前記記録用紙の種別を判別する判別手段と、前記インク滴の吐出によって前記記録用紙に画像を記録する記録手段と、前記入力画像の有色性、濃度分布および画像種の少なくとも一つを判定する判定手段と、前記判別手段により判別された記録用紙の種別と前記判定手段による判定結果とに基づいて、前記記録手段が記録用紙に吐出するインク滴の流動拡散により生ずるインク滴間のにじみを抑制する抑制手段と、を備えたことを特徴とする色変換プロファイル生成装置が開示されている。
【０００３】
特許文献２には、１画素がｎビットからなる多値画像データを、インク滴を重ねて記録することによって階調を表現可能なカラー色変換プロファイル生成装置で記録を行うための出力画像データに変換するカラー画像処理装置において、前記多値画像データの１画素を構成するｎビットの論理和を演算して前記多値画像データ中の所定の領域を判別する領域判別手段と、該境界部判別手段による判別結果に従って重ねるインク滴数を変化させる変換処理を行う処理手段を有していることを特徴とするカラー画像処理装置が開示されている。
【先行技術文献】
【特許文献】
【０００４】
【特許文献１】特開２０００−１０８３２９号公報
【特許文献２】特開２０００−２５５０８４号公報
【発明の概要】
【発明が解決しようとする課題】
【０００５】
本発明は、用紙に対する乾燥速度が最も遅い最遅インクの最大使用量を設定せずに色変換プロファイルを生成する場合と比較して、画像に滲みが発生するのを抑制することができる色変換プロファイル生成装置、色変換プロファイル生成プログラム、及び色変換装置を提供することを目的とする。
【課題を解決するための手段】
【０００６】
請求項１記載の発明の色変換プロファイル生成装置は、複数色のインクの吐出により画像が形成される用紙に関する用紙情報を設定する用紙情報設定手段と、前記複数色のインクのうち、前記用紙情報設定手段により設定された前記用紙に対する乾燥速度が最も遅い最遅インクの最大使用量を設定する最大使用量設定手段と、前記最遅インクの最大使用量に基づいて、入力機器の入力色域内の色値を出力機器の出力色域内の色値に変換するための色変換プロファイルを生成する生成手段と、を備える。
【０００７】
請求項２記載の発明は、前記最遅インクは黒色インクであり、前記最大使用量設定手段は、前記最遅インク以外のインクを黒色インクに置換する割合であるＵＣＲレートを前記最大使用量に基づいて設定し、前記生成手段は、設定された前記ＵＣＲレートに基づいて、前記色変換プロファイルを生成する。
【０００８】
請求項３記載の発明は、前記最遅インクが黒色インク以外の場合、前記最大使用量設定手段は、前記黒色インク以外のインクを黒色インクに置換する割合であるＵＣＲレートを予め定めた値に設定し、前記生成手段は、設定された前記ＵＣＲレートに基づいて、前記最遅インクが前記最大使用量以下になる色変換プロファイルを生成する。
【０００９】
請求項４記載の発明の色変換プロファイル生成プログラムは、コンピュータを、請求項１〜３の何れか１項に記載の色変換プロファイル生成装置を構成する各手段として機能させる。
【００１０】
請求項５記載の発明の色変換装置は、請求項１〜３の何れか１項に記載の色変換プロファイル生成装置により生成された色変換プロファイルを記憶する記憶手段と、前記記憶手段に記憶された色変換プロファイルに基づいて、前記入力機器の入力色域内の色値を前記出力機器の出力色域内の色値に変換する色変換手段と、を備える。
【発明の効果】
【００１１】
請求項１、４、５記載の発明によれば、用紙に対する乾燥速度が最も遅い最遅インクの最大使用量を設定せずに色変換プロファイルを生成する場合と比較して、画像に滲みが発生するのを抑制することができる、という効果を有する。
【００１２】
請求項２記載の発明によれば、用紙に対する乾燥速度が最も遅い最遅インクの最大使用量に関係なくＵＣＲレートを設定して色変換プロファイルを生成する場合と比較して、画像に滲みが発生するのを抑制することができる、という効果を有する。
【００１３】
請求項３記載の発明によれば、用紙に対する乾燥速度が最も遅い最遅インクが黒色インク以外のインクの最大使用量に関係なく色変換プロファイルを生成する場合と比較して、画像に滲みが発生するのを抑制することができる、という効果を有する。
【図面の簡単な説明】
【００１４】
【図１】色変換装置の構成図である。
【図２】テストチャートの一例を示す図である。
【図３】ＵＣＲレート曲線の一例を示す線図である。
【図４】色変換プロファイル生成部で実行される処理のフローチャートである。
【発明を実施するための形態】
【００１５】
以下、本実施形態について図面を参照しつつ詳細に説明する。図１には、本実施形態に係る色変換装置１０の機能構成を示すブロック図を示した。
【００１６】
色変換装置１０は、入力機器２０と出力機器３０間に設けられて入力機器２０から入力される画像データの色変換処理を行う色変換部１２、色変換部１２が画像データの色変換に際して参照する色変換プロファイル（ルックアップテーブル）を記憶する色変換プロファイル記憶部１４、及び色変換プロファイル記憶部１４に記憶する色変換プロファイルを生成する色変換プロファイル生成部１６を備えている。
【００１７】
この色変換装置１０は、出力機器３０である、例えば、ＣＭＹＫ（シアン、マゼンタ、イエロー、ブラック）各色のインクを用いてインクジェット方式でカラー画像を記録媒体上に形成する画像形成装置（カラープリンタ）に内蔵することにより実現される。
【００１８】
入力機器２０としては、例えば、ＰＣ（パーソナル・コンピュータ）等で実現される情報処理端末が想定される。
【００１９】
入力機器２０を上記情報処理端末とした場合は、当該情報処理端末においてディスプレイ上で色を確認しながら作成されたＲＧＢ色空間上の画像データが色域変換対象として色変換部１２に入力される。
【００２０】
この色変換装置１０において、色変換プロファイル生成部１６は、ＲＧＢ−Ｌａｂ変換部４０、色域圧縮部４２、ＵＣＲレート付加部４４、用紙情報設定部４６、最大使用量設定部４８、ＵＣＲレート設定部５０、ＬａｂＫ−ＣＭＹＫ変換部５２、及びテストチャート出力部５４を備えている。
【００２１】
ＲＧＢ−Ｌａｂ変換部４０は、入力機器２０の入力色域内の画像データの色値（本実施形態では一例としてＲ，Ｇ，Ｂ）を、入力機器２０、及び、複数の色（本実施形態では一例としてＣＭＹＫ色）要素に基づいて複数色を再現する出力機器３０に依存しないデバイス非依存色空間（本実施形態では一例としてＬ＊ａ＊ｂ＊空間）上の色値に変換する。
【００２２】
色域圧縮部４２は、ＲＧＢ−Ｌａｂ変換部４０で変換された入力画像データの色値を、同じ色空間（本実施形態では一例としてＬ＊ａ＊ｂ＊空間）上の、出力機器３０における出力色域の色値に変換する。
【００２３】
ＵＣＲレート付加部４４は、詳細は後述するが、色域圧縮部４２により色域圧縮されたＬ＊ａ＊ｂ＊空間の色値及びＵＣＲレート設定部５０で設定されたＵＣＲレート曲線に基づいてＵＣＲレートを設定し、設定したＵＣＲレート（本実施形態ではＫの最大値）をＬａｂデータに付加してＬａｂＫ−ＣＭＹＫ変換部５２に出力する。
【００２４】
用紙情報設定部４６は、ＣＭＹＫ各色のインクを用いてインクジェット方式によりカラー画像が形成される用紙の種類（普通紙、厚紙、再生紙、光沢紙等）を示す用紙情報を設定する。用紙情報は、例えばユーザーが用紙の種類を入力することによって設定される。
【００２５】
最大使用量設定部４８は、ＣＭＹＫ各色のインクのうち、用紙情報設定部４６により設定された用紙に対する乾燥速度（用紙に対する浸透速度）が最も遅い最遅インクの最大使用量を設定する。本実施形態では、一例として最遅インクがＫ色の場合について説明する。
【００２６】
最大使用量は、例えばテストチャート出力部５４にテストチャートを出力させ、出力されたテストチャートをユーザーが参照して最大使用量を決定し、決定した最大使用量をユーザーが入力することによって設定される。
【００２７】
図２には、テストチャートの一例を示した。図２に示すテストチャート６０は、文字、パッチ画像、及びラインを含むテスト画像を最遅インク（本実施形態ではＫインク）の使用量毎に印刷したものである。
【００２８】
図２の例では、テストチャート６０は、Ｙインクで印刷されたＹ背景６２上に「１００％黒」の文字１００Ａ、黒色の正方形のパッチ画像１００Ｂ、１本の横線であるライン１００Ｃを含むテスト画像１００が、Ｋインク１００％の使用量（濃度）で印刷されている。同様に、「９０％黒」の文字９０Ａ、黒色の正方形のパッチ画像９０Ｂ、１本の横線であるライン９０Ｃを含むテスト画像９０が、Ｋインク９０％の使用量（濃度）で印刷されている。以下同様に、テストチャート６０には、Ｋインクの使用量を１０％ずつ低下させたテスト画像８０、７０・・・が印刷されている。
【００２９】
ユーザーは、テストチャート６０を参照して各使用量のテスト画像にＹ背景６２との滲みが生じているか否かを確認する。そして、滲みのないＫインクの使用量のうち最大の使用量を最大使用量として設定する。
【００３０】
なお、テストチャート６０を画像読取装置により読み取って、読み取った画像を画像処理することにより滲みが生じているか否かを自動で判定するようにしてもよい。例えば、テスト画像に含まれるラインの太さを画像処理により測定し、測定したラインの太さが予め定めた閾値以上の場合に滲みが発生していると判定するようにしてもよい。
【００３１】
また、例えば用紙情報と最大使用量との対応関係を予め定めたルックアップテーブルを記憶しておき、用紙情報設定部４６により設定された用紙情報に対応した最大使用量をルックアップテーブルから求めて設定してもよい。
【００３２】
ＵＣＲレート設定部５０は、最大使用量設定部４８により設定されたＫインクの最大使用量に基づいて、ＵＣＲレート曲線を設定する。ＵＣＲレートは、Ｋインクを他のＣＭＹインクに置換する処理であるアンダーカラーリダクション処理を行う際におけるＫインクを他のＣＭＹインクに置換する置換割合である。
【００３３】
例えば図３に示すように、明度Ｌ＊とＵＣＲレートとの対応関係を示すＵＣＲレート曲線が最大使用量毎に予め設定される。図３の例では、一例として最大使用量が１００％の場合のＵＣＲレート曲線Ｕ１００、最大使用量が９０％の場合のＵＣＲレート曲線Ｕ９０、最大使用量が８０％の場合のＵＣＲレート曲線Ｕ８０を示した。
【００３４】
ＵＣＲレート設定部５０は、例えばＫインクの最大使用量が９０％に設定された場合は、ＵＣＲレート曲線Ｕ９０を設定する。
【００３５】
ＵＣＲレート付加部４４は、色域圧縮部４２から出力されたＬａｂデータのうちＬ＊の値に対応したＵＣＲレートをＵＣＲレート設定部５０で設定されたＵＣＲレート曲線に基づいて設定し、設定したＵＣＲレートをＫの最大値としてＬａｂデータに付加し、ＬａｂＫ−ＣＭＹＫ変換部５２に出力する。
【００３６】
例えばＫインクの最大使用量が９０％に設定されてＵＣＲレート曲線Ｕ９０が設定された場合において、図３に示すようにＬ＊の値が「２０」であればＵＣＲレートは「９０」に設定され、Ｌ＊の値が「４０」であればＵＣＲレートは「８０」に設定され、Ｌ＊の値が「５０」であればＵＣＲレートは「６０」に設定される。
【００３７】
ＬａｂＫ−ＣＭＹＫ変換部５２は、ＵＣＲレート付加部４４から出力されたＬａｂデータにＵＣＲレートとしてのＫの最大値を加えたＬａｂＫの４色の色値をＣＭＹＫの４色の色値に変換する。この変換は、例えばニューラルネットワークを用いた学習モデルにより変換する公知の手法、例えば特開平９−２１４７８９号公報や特開２００５−１７６２６０号公報等に記載された手法が用いられる。
【００３８】
そして、ＬａｂＫ−ＣＭＹＫ変換部５２は、変換結果に基づいて、入力機器２０のＲＧＢ空間における色値を出力機器３０のＣＭＹＫ空間における色値に変換するための色変換プロファイルを生成し、色変換プロファイル記憶部１４に記憶させる。
【００３９】
次に、本実施形態の作用として、色変換プロファイル生成処理について図４に示すフローチャートを参照して説明する。なお、図４に示す処理は、ユーザーにより色変換プロファイルの生成が指示されると実行される。そして、ユーザーは、色変換プロファイルを生成する対象の用紙の種類を指定する。
【００４０】
ステップＳ１００では、用紙情報設定部４６が、ユーザーによって入力された用紙の種類を示す用紙情報を設定する。
【００４１】
ステップＳ１０２では、テストチャート出力部５４が図２に示すテストチャートを出力する。
【００４２】
ステップＳ１０４では、最大使用量設定部４８が、黒色インクの最大使用量を設定する。具体的には、ユーザーが、出力されたテストチャートを参照して、各使用量のテスト画像に滲みが生じているか否かを確認する。そして、滲みのない黒色インクの使用量のうち最大の使用量を最大使用量として設定する。なお、テストチャート６０を画像読取装置により読み取り、読み取った画像を画像処理して各使用量のテスト画像に滲みが発生しているか否かを判断し、滲みのない黒色インクの使用量のうち最大の使用量を最大使用量として設定するようにしてもよい。また、用紙情報と最大使用量との対応関係を予め定めたルックアップテーブルから、用紙情報設定部４６により設定された用紙情報に対応した最大使用量を求めて設定してもよい。
【００４３】
ステップＳ１０６では、ＵＣＲレート設定部５０が、最大使用量設定部４８により設定されたＫインクの最大使用量に基づいて、ＵＣＲレート曲線を設定する。すなわち、図３に示すように、例えばＫインクの最大使用量が９０％に設定された場合はＵＣＲレート曲線Ｕ９０が設定される。
【００４４】
ステップＳ１０８では、ＲＧＢ−Ｌａｂ変換部４０が、入力機器２０の入力色域内のＲＧＢデータを、Ｌａｂデータに変換する。
【００４５】
ステップＳ１１０では、色域圧縮部４２が、ＲＧＢ−Ｌａｂ変換部４０で変換された入力色域内のＬａｂデータを、出力機器３０の出力色域内のＬａｂデータに色域圧縮する。すなわち色域マッピングする。
【００４６】
ステップＳ１１２では、ＵＣＲレート付加部４４が、色域圧縮部４２により色域圧縮されたＬａｂデータのＬ＊値に対応したＵＣＲレートをＵＣＲレート設定部５０で設定されたＵＣＲレート曲線に基づいて設定し、設定したＵＣＲレートをＬａｂデータに付加してＬａｂＫデータとしてＬａｂＫ−ＣＭＹＫ変換部５２に出力する。
【００４７】
ステップＳ１１４では、ＬａｂＫ−ＣＭＹＫ変換部５２が、ＵＣＲレート付加部４４から出力されたＬａｂＫデータをＣＭＹＫデータに変換する。この変換は、前述したようにニューラルネットワークを用いた学習モデルを用いて変換される。
【００４８】
なお、ステップＳ１０８〜Ｓ１１４の処理は、入力色域内の各格子点のＲＧＢデータの各々について実行される。
【００４９】
ステップＳ１１６では、ＬａｂＫ−ＣＭＹＫ変換部５２が、入力色域内の各格子点についてのステップＳ１０８〜Ｓ１１４の変換結果に基づいて、入力機器２０のＲＧＢ空間における色値を出力機器３０のＣＭＹＫ空間における色値に変換するための色変換プロファイルを生成し、色変換プロファイル記憶部１４に記憶させる。
【００５０】
このように、本実施形態では、用紙に対する乾燥速度が最も遅い最遅インクの最大使用量を設定し、設定した最遅インクの最大使用量に基づいて、入力機器２０の入力色域内の色値を出力機器３０の出力色域内の色値に変換するための色変換プロファイルを生成する。
【００５１】
なお、本実施形態では、最遅インクが黒色インクの場合について説明したが、最遅インクが黒色以外の色の場合、例えばマゼンタの場合には、例えばＵＣＲレートは予め定めた値（例えば１００％）で固定し、ＬａｂＫ−ＣＭＹＫ変換部５２でＬａｂＫデータをＣＭＹＫデータに変換する。そして、マゼンタの変換結果がマゼンタの最大使用量を越えている場合には、マゼンタの変換結果がマゼンタの最大使用量以下になるまでＬａｂＫデータをＣＭＹＫデータに変換する処理を繰り返すようにしてもよい。
【００５２】
また、本実施形態で説明した色変換装置１０の構成（図１参照）は一例であり、本発明の主旨を逸脱しない範囲内において不要な部分を削除したり、新たな部分を追加したりしてもよいことは言うまでもない。
【符号の説明】
【００５３】
１０   色変換装置
１２   色変換部
１４   色変換プロファイル記憶部
１６   色変換プロファイル生成部
２０   入力機器
３０   出力機器
４０   ＲＧＢ−Ｌａｂ変換部
４２   色域圧縮部
４４   ＵＣＲレート付加部
４６   用紙情報設定部
４８   最大使用量設定部
５０   ＵＣＲレート設定部
５２   ＬａｂＫ−ＣＭＹＫ変換部
５４   テストチャート出力部
６０   テストチャート
【図１】
2015035783.tif 000003
【図２】
2015035783.tif 000004
【図３】
2015035783.tif 000005
【図４】
2015035783.tif 000006